(57)【特許請求の範囲】
【請求項１】
複数の通信対象装置の中から本装置と通信可能な装置を検出する通信可能装置検出手段と、
この通信可能装置検出手段によって検出された通信可能な装置と本装置との通信が不可能になった状況を検出する通信不可能装置検出手段と、
上記通信可能装置検出手段によって検出された通信可能な装置に関する情報と上記通信不可能装置検出手段によって検出された通信不可能になった装置に関する情報を周囲環境情報として記憶する周囲環境情報記憶手段と、
この周囲環境情報記憶手段に記憶された周囲環境情報に基づいて現在通信可能な装置と通信不可能になった装置を区別して表示すると共に、上記通信不可能になった装置の経過時間を判断し、その経過時間に応じて表示を変更する表示手段と
を具備したことを特徴とする情報処理装置。
【請求項２】
上記各通信対象装置の中で本装置と以前に接続関係のあった装置を示す接続関係情報を記憶する接続関係記憶手段を具備し、
上記表示手段は、上記接続関係記憶手段に記憶された上記接続関係情報に基づいて当該通信対象装置が本装置と以前に接続関係のあったか否かを判断し、その判断結果に応じて表示を変更することを特徴とする請求項１記載の情報処理装置。
【請求項３】
上記各通信対象装置の中のサービス提供可能な装置からサービス提供状況情報を取得する状況情報取得手段を具備し、
上記表示手段は、上記状況情報取得手段によって得られたサービス提供状況情報に基づいて当該通信対象装置の現在の利用状況または負荷状態を判断し、その判断結果に応じて表示を変更することを特徴とする請求項１記載の情報処理装置。
【請求項４】
所望の装置を示す属性情報を指定する属性情報指定手段を備え、
上記表示手段は、当該通信対象装置が上記属性情報指定手段によって指定された属性情報を有するか否かを判断し、その判断結果に応じて表示を変更することを特徴とする請求項１記載の情報処理装置。
【請求項５】
上記属性情報指定手段によって指定された属性情報を有する装置が存在する場合に本装置を振動させることにより、上記属性情報を有する装置の存在を知らせる振動通知手段をさらに具備したことを特徴とする請求項４記載の情報処理装置。
【請求項６】
複数の通信対象装置の中から本装置と通信可能な装置を検出すると共に、この通信可能な装置と本装置との通信が不可能になった状況を検出し、
上記通信可能な装置に関する情報と上記通信不可能になった装置に関する情報を周囲環境情報として周囲環境情報記憶部に記憶しておき、
上記周囲環境情報記憶部に記憶された周囲環境情報に基づいて現在通信可能な装置と通信不可能になった装置を区別して表示すると共に、上記通信不可能になった装置の経過時間を判断し、その経過時間に応じて表示を変更することを特徴とする装置情報表示方法。
【請求項７】
上記各通信対象装置の中で本装置と以前に接続関係のあった装置を示す接続関係情報を接続関係記憶部に記憶しておき、
上記接続関係記憶部に記憶された接続関係情報に基づいて当該通信対象装置が本装置と以前に接続関係のあったか否かを判断し、その判断結果に応じて表示を変更することを特徴とする請求項６記載の装置情報表示方法。
【請求項８】
上記各通信対象装置の中のサービス提供可能な装置からサービス提供状況情報を取得し、
そのサービス提供状況情報に基づいて当該通信対象装置の現在の利用状況または負荷状態を判断し、その判断結果に応じて表示を変更することを特徴とする請求項６記載の装置情報表示方法。
【請求項９】
所望の装置を示す属性情報の指定により、
当該通信対象装置が上記指定された属性情報を有するか否かを判断し、その判断結果に応じて表示を変更することを特徴とする請求項６記載の装置情報表示方法。
【請求項１０】
上記属性情報を有する装置が存在する場合に本装置を振動させることにより、上記属性情報を有する装置の存在を知らせることを特徴とする請求項９記載の装置情報表示方法。
【発明の詳細な説明】
【０００１】
【発明の属する技術分野】
本発明は、携帯型の情報処理装置に係り、特に通信機能を備えた情報処理装置及び同装置に用いられる装置情報表示方法に関する。
【０００２】
【従来の技術】
携帯型の情報処理装置が進展し、通信機能を有することにより、任意の場所で他の装置とのデータのやり取りが可能となった。例えば、携帯電話やＰＨＳなどの公衆回線を利用し、会社の情報処理装置やパソコン通信のホスト装置と接続し、メールデータの読み書きやニュースの閲覧を行うことが可能である。しかし、公衆回線のサービス範囲でしか通信を行うことができず、使用場所に関する制約がある。
【０００３】
また、近くの他の携帯装置やディスクトップ型の装置とのデータのやり取りを実現するために、ＩＲＤＡ方式が提案された。目的の装置に対して、利用者の携帯する装置を特別な方向に定めることにより通信が可能となる。しかし、この方法では、利用者と対象の装置との関係が限定され、かつ、１つの対象としか通信を行うことができなかった。
【０００４】
このような問題を解決するため、任意の近接する情報処理装置との間に通信機能を提供する通信制御装置および方法（特願平７−８７９３７号公報）が提案されている。
【０００５】
この技術により、近接する情報処理装置との間にネットワークを容易に構築でき、管理者がネットワークの構成情報を設定を行うことなしに、自由に装置を追加したり減らしたりすることができる。また、近接する装置に関する文字やイメージなどの付加情報を取得し、利用者に提示することにより、複数の装置が周囲に存在する場合でも、利用者は提示した付加情報を利用することにより容易に所望の相手（装置）とのコネクションの設定を行うことができる。
【０００６】
このように、任意の場所で近くの情報処理装置と容易に情報のやり取りを行うことができる。
【０００７】
【発明が解決しようとする課題】
ところで、博物館や美術館などの館内に展示している展示物の情報を来館者に与える方法としては、来館者の要求により説明用のテープやＶＴＲを再生する方法が存在する。このような方法では、来館者は予め決められた手順に従った情報しか取得できない。また、説明が開始された状況では途中の情報から取得することになり、内容が理解できない等の問題が生じる。
【０００８】
決められた話しの流れではなく、来館者の目的に応じて情報を提供する技術が提案されている。この技術は、情報をハイパーテキスト構造の文書で提供することにより、利用者に提供情報を選択させることを可能としている。また、表示部の表面にタッチパネルを付与することにより、容易な指示方法を実現している。しかし、１台の情報提供装置に対してアクセスが可能な利用者は一人であり、複数の利用者に同時にサービスを提供することができない。
【０００９】
また、ネットワークで複数の装置を接続し、サーバ・クライアント構成を採用することにより、同時に複数の利用者が情報にアクセスすることが可能となる。しかし、この場合でも、準備したクライアント装置数の利用者しか同時に展示物の情報にアクセスすることができない。
【００１０】
このような問題は、上述したネットワーク提供機能を有する携帯情報処理装置を利用することにより解決できる。すなわち、利用者はサービスを希望するときに周囲の情報処理装置を調べ、所望のサービスを提供する装置を見つけた場合には、その装置とコネクションの設定を行い、展示物に関する情報を取得する。
【００１１】
来館者が博物館などの館内を移動する場合は、周囲の状況は常に変化する。上記ネットワーク技術は、周囲の状況の認識が可能なため、利用者の移動に伴う周囲環境の変化に対応することが可能であり、相互に通信が不可能になった装置を検出した場合には、通信相手の候補から該装置を自動的に削除する。ゆえに新たに周囲状況の提示を要求した場合には、その時の状況に応じた通信可能な装置の候補を提示することが可能である。
【００１２】
しかし、移動の度に新たな情報を利用者が要求することは煩わしい作業である。また、情報処理装置の表示部を見ながら歩くことは危険なので、移動中は表示部を見ていないのが普通である。それゆえ、所望の情報を提供する装置の前を通過しても、周囲情報を表示なかった場合には、目的のサービスを提供する装置の存在を見逃してしまう場合がある。
【００１３】
特に、博物館などでは周囲の通信可能な情報処理装置は、展示物に関する情報を提供する装置ばかりではなく、来館者が有する携帯情報処理装置も対象となる。また、無線インタフェースを有するプリンタなどの出力装置も対象となる。
【００１４】
このような状況では、通信可能な情報処理装置が多数存在し、表示画面に各装置情報を提示し利用者に選択させる場合に、多数の候補の中から所望のサービスを提供する装置を選択することが困難となる。
【００１５】
また、１つの情報提供装置に複数の利用者がアクセスを行っている状況では、データ取得までに時間がかかる。しかし、利用者がサービス提供装置の状況を知ることができないため、複数の装置から情報を取得できる場合に、どちらかの情報にアクセスした方が良いかの判断ができない。
【００１６】
上述したように、移動の度に周囲状況を確認する作業が必要となれば、展示物見学を著しく妨げることとなる。また、通信可能な情報処理装置を全て表示することは、利用者が所望している相手およびサービスを受けるための装置を選択する場合の妨げとなる。
【００１７】
本発明は上記のような点に鑑みなされたもので、利用者の移動に伴い、周囲の状況が変化した場合でも正しい状況の容易な認識を可能とし、また、所望の通信相手やサービスの存在を知ることができ、さらに、利用者の所望する装置を素早く選択することのできる通信機能を備えた情報処理装置及び同装置に用いられる装置情報表示方法を提供することを目的とする。
【００２２】
【課題を解決するための手段】
本発明は、複数の通信対象装置の中から本装置と通信可能な装置を検出すると共に、この通信可能な装置と本装置との通信が不可能になった状況を検出し、上記通信可能な装置に関する情報と上記通信不可能になった装置に関する情報を周囲環境情報として周囲環境情報記憶部に記憶しておき、上記周囲環境情報記憶部に記憶された周囲環境情報に基づいて現在通信可能な装置と通信不可能になった装置を区別して表示すると共に、上記通信不可能になった装置の経過時間を判断し、その経過時間に応じて表示を変更することを特徴とする。
【００２３】
このような構成によれば、現在通信可能な装置の情報と通信可能だった装置の情報を合わせて表示することにより、目的の装置を通過した場合でもその装置の存在を利用者は容易に知ることが可能となる。この場合、現在通信可能な装置と通信不可能な装置を異なる方法で表示することにより、容易に区別を行うことが可能である。
【００２４】
また、本発明は、上記各通信対象装置の中で本装置と以前に接続関係のあった装置を示す接続関係情報を接続関係記憶部に記憶しておき、上記接続関係記憶部に記憶された接続関係情報に基づいて当該通信対象装置が本装置と以前に接続関係のあったか否かを判断し、その判断結果に応じて表示を変更することを特徴とする。
【００２５】
このような構成によれば、利用者は複数の装置の中から以前接続した装置を容易に識別することが可能となり、再び容易に接続を行うことが可能となる。
【００２６】
また、本発明は、上記各通信対象装置の中のサービス提供可能な装置からサービス提供状況情報を取得し、そのサービス提供状況情報に基づいて当該通信対象装置の現在の利用状況または負荷状態を判断し、その判断結果に応じて表示を変更することを特徴とする。
【００２７】
このような構成によれば、利用者は複数サービスを提供する装置が存在する場合に、各装置の利用状況や負荷の情報を知ることが可能となり、反応の早い装置を選択することが可能となる。
【００２８】
また、本発明は、所望の装置を示す属性情報の指定により、当該通信対象装置が上記指定された属性情報を有するか否かを判断し、その判断結果に応じて表示を変更することを特徴とする。
【００２９】
このような構成によれば、利用者は周囲に複数の装置が存在する場合に、所望の装置を示す属性をキーワードとして与えることにより、所望の属性を有する装置のみ選択対象とすることとなり、目的の装置を容易に指定することが可能となる。
【００３０】
また、本発明は、上記属性情報を有する装置が存在する場合に本装置を振動させることにより、上記属性情報を有する装置の存在を知らせることを特徴とする。
【００３１】
このような構成によれば、利用者が表示画面を見ていない場合でも、指定された属性情報を有する装置の存在を、装置の振動を併用して通知でき、利用者の注意を喚起することが可能となる。
【００３２】
【発明の実施の形態】
以下、図面を参照して本発明の実施形態を説明する。
【００３３】
（第１の実施形態）
図１は本発明の情報処理装置の概略構成を示すブロック図である。本装置は携帯型装置であり、利用者が持ち歩きながら、通信対象となる他の装置から情報の提供を受けるものである。
【００３４】
通信部１は、例えばｒａｄｉｏ（無線）やＩｎｆｒａＲｅｄ（赤外線）を利用することにより、ケーブルを用いずに他の装置とデータ通信を行う。通信部１は、本装置上で動作するアプリケーションを管理するアプリケーション管理部２と本発明の機能の提供を行う通信状況管理部１０からの要求に基づき、必要な情報を付加して、与えられたデータの送信を行う。
【００３５】
必要な情報とは、例えば通信対象の装置を識別するための情報、誤り訂正用データ、通信者の装置を示す情報などである。
【００３６】
また、自装置を示す識別情報を含むデータを受信した場合には、データの誤り検出を行う。正しいデータであると判定した場合には、アプリケーションまたは通信状況のどちらあてのデータかの判定を行い、該当する管理部にデータを渡す。特定の装置との間に信頼性のあるコネクションを設定した場合は、データの送達確認を行う。送達確認は、データを受信した装置Ｙがデータ送信後に受信確認メッセージをデータ送信した装置Ｘに送信する。装置Ｘは、データ送信後一定時間以内に受信確認メッセージを装置Ｙから受信しない場合は、送信したデータの再送信を行う。
【００３７】
ここで、通信状況管理部１０の構成を詳細に説明する。
【００３８】
図２は本発明の第１の実施形態における通信状況管理部１０の内部構成を示すブロック図である。通信状況管理部１０は、周囲に存在する相互に通信可能な装置の検出を行う通信可能装置検出部１１、通信可能な装置が通信不可能になった状況を検出する通信不可能装置検出部１２、通信可能な装置の付加情報の記録を行う付加情報記録部１４、通信可能な装置の識別情報を記録する識別情報管理部１３、付加情報に基づき表示用データの作成を行う表示内容管理部１５、利用者へのデータの表示を行う表示部１６から構成される。
【００３９】
装置識別情報は、各情報処理装置を唯一に識別するために与えるＩＤ番号である。装置付加情報は、装置種類、装置識別名称、装置識別イメージ、装置詳細情報などを用いる。
【００４０】
上記装置付加情報の装置種類は、予め規則を決めておいた記号や文字データで構成する。この装置種類としては、例えば利用者の携帯する装置、特定の情報サービスを提供する装置、特定の機能を提供する装置が考えられる。識別名称は、文字データて構成する。装置識別用イメージは、外観写真やアイコンなどの画像データで構成する。装置詳細情報は、文字データで構成する。この装置詳細情報としては、例えば利用者が携帯する装置の場合は名前、電話番号、住所、会社名などのデータが考えられる。また、特定のサービスや機能の提供を行う装置の場合は詳細な内容、連絡先、トラブル対処方法などが考えられる。
【００４１】
このような情報全てを一度に送信する場合は、１つのパケットの内で区別可能なように識別用の情報を各情報の間に挿入することにより、受信した装置は各情報を正しく取得することが可能となる。
【００４２】
次に、第１の実施形態の動作を説明する。
【００４３】
はじめに、通信可能装置検出部１１の動作について説明する。
【００４４】
利用者の所持する情報処理装置Ｘの通信可能装置検出部１１は、自装置を示す装置識別情報とともに装置識別情報送信要求メッセージを作成し、通信部１を通じて周囲に送信する。このメッセージを受信した初めて通信を行う装置Ｙの通信可能装置検出部１１は、装置Ｙの識別情報を付与した要求受理を示す返答メッセージを、装置Ｘに対して送信する。この場合、該返答メッセージに装置Ｙに関する付加情報（例えば装置Ｙが所持している情報の種類等）を添付して送ることも可能である。図４に付加情報を添付した場合の手順を示す。
【００４５】
図４は通信可能装置の検出処理を示すフローチャートである。装置Ｘの通信可能装置検出部１１は、自装置宛ての返答メッセージを受信すると（ステップａ１）、識別情報管理部１３の装置識別子管理テーブルに登録されている通信可能な装置の識別情報を検索する（ステップａ２）。この場合、登録されていないので（ステップａ３のＮｏ）、通信可能装置検出部１１は新たな装置と通信可能になったと判定し、当該装置Ｙの装置の識別情報を新たに識別情報管理部１３に追加する（ステップａ４）。付加情報が存在する場合には、通信可能装置検出部１１はその付加情報を識別情報に対応付けて付加情報記録部１４に記録する（ステップａ５）。また、返答メッセージの受信時刻を識別情報管理部１３に記録する（ステップａ６）。そして、表示内容管理部１５に新たに通信可能装置を検出した旨のメッセージを通知する（ステップａ８）。
【００４６】
上記の手順を周期的に繰り返すことにより、新たな装置と通信可能である状況の検出を常に自動的に行うことが可能となる。この場合、通信可能な装置からの返答メッセージを受信することになるが、識別情報管理部１３を検索した際に、該当装置の識別情報が登録されているとわかるので、その場合は、識別情報管理部１３に記録している返答メッセージの受信時刻を更新する（ステップａ７）。
【００４７】
周囲に初めて通信を行う装置が複数存在する場合は、複数の装置から返答メッセージを受信する。この場合は、要求情報メッセージを送信した全て装置識別情報を識別情報管理部１３に登録し、各々の通信可能装置を検出した旨のメッセージを表示内容管理部１５に通知する。
【００４８】
次に、図５を参照して返答メッセージに装置の付加情報を添付しない場合の動作について説明する。
【００４９】
図５は通信可能装置の検出後、装置付加情報を取得する場合の処理を示すフローチャートである。新たな装置Ｙから受信した返答メッセージの解析を行い、装置Ｙの識別情報を識別情報管理部１３から、装置Ｙの装置識別情報が登録されていないと判定するので（ステップａ１〜ａ３）、通信可能装置検出部１１は付加情報送信要求メッセージを作成し、装置Ｙへの送信を通信部１へ依頼する（ステップａ１０）。
【００５０】
ここで、装置Ｙからの付加情報の受信を一定時間待つ（ステップａ１１）。一定時間以内に受信した場合は、通信可能装置検出部１１は識別情報管理部１３に装置Ｙの識別情報を登録する（ステップａ４）。その際に、通信可能装置検出部１１は受信した付加情報を付加情報記録部１４に装置識別情報とを対応付けて記録する（ステップａ５）。また、返答メッセージ受信時刻を識別情報管理部１３に記録する（ステップａ６）。最後に表示内容管理部１５に新たに通信可能装置を検出した旨のメッセージを通知する（ステップａ８）。
【００５１】
なお、上記ステップａ１１において、一定時間以内に付加情報を受信しない場合は、以後の処理は行わない。
【００５２】
このように、返答メッセージに装置の付加情報を添付しない場合には、後に当該装置の付加情報を取得することになる。すなわち、上記の例で言えば、通信対象が装置Ｙであることを装置識別情報により識別した後、その装置Ｙに関する詳細な情報（例えば装置Ｙが所持している情報の種類等）を付加情報から得る。これに対し、図４で説明した方法では、装置Ｙを識別すると同時に、その付加情報から装置Ｙに関する詳細な情報も取得する。
【００５３】
次に、図６を参照して通信不可能装置検出部１２の動作について説明する。
【００５４】
図６は通信不可能装置の検出処理を示すフローチャートである。各装置の通信可能装置検出部１１は、装置情報送信メッセージを一定周期で送信する。上述したように通信可能装置検出部１１は、通信可能な装置からの返答メッセージを受信した場合には、返答メッセージの受信時刻を更新する。
【００５５】
各装置の通信不可能装置検出部１２は周期的に識別情報管理部１３の各装置からの返答メッセージの受信時刻を検査する。この時刻と現在の時刻の比較を行い、予め決められた時間を越えたかどうか判定を行う（ステップｂ１）。決められた時間を越えている場合は（ステップｂ２のＹｅｓ）、通信不可能装置検出部１２は識別情報管理部１３の装置識別子管理テーブルから該装置の識別情報を削除する（ステップｂ３）。
【００５６】
また、通信不可能装置検出部１２は付加情報記録部１４から該装置の付加情報を削除する（ステップｂ４）。最後に表示内容管理部１５に通信不可能装置を検出した旨を通知するメッセージを送る（ステップｂ５）。
【００５７】
ここで、例えば装置Ｘと装置Ｖのコネクションを設定し、かつ、装置Ｖとのデータ送受信を行っている状況での通信不可能装置検出部１２の動作について説明する。
【００５８】
通信部１はデータの同一のデータを決められた回数行った場合は、その旨を通信不可能装置検出部１２に通知する。この通知を受けた場合は、装置Ｙを通信不可能な装置と判定し、同様に上記の識別情報管理部１３、付加情報記録部１４から装置Ｙに関連する情報を削除し、表示内容管理部１５にメッセージを通知する。
【００５９】
次に、図７を参照して表示内容管理部１５の動作を説明する。
【００６０】
図７は状況変化に基づく画面更新処理を示すフローチャートである。表示内容管理部１５は通信可能装置検出部１１から通信可能装置検出メッセージを受信した時と、通信不可能装置検出部１２から通信不可能装置検出メッセージを受信した時に表示内容の更新を行う。表示部１６は、例えばディスプレイや液晶パネルへ表示するデータを記憶するビデオメモリとＤ／Ａコンバータで構成する。
【００６１】
表示内容管理部１５は、まず、識別情報管理部１３から表示すべき装置数を取得する（ステップｃ１）。次に、表示内容管理部１５は、表示部１６より画面のサイズに関する情報（属性情報）を取得する（ステップｃ２）。
【００６２】
このとき取得する情報の例としては、ビデオメモリの構成があり、例えば、横６４０ピクセル、縦４８０ピクセル、１６００万色の表示能力を有するという情報である。表示方法と表示数と表示領域の画面サイズより、レイアウト情報を求める（ステップｃ３）。あるいは、複数のウインドウを用いるシステムにおいては、表示用ウインドウの情報でもかまわない。
【００６３】
表示方法とは、装置をどのような順番で画面に表示するかを示す。例えば、左上を基点として装置に付加された名称に基づいて並べる方法、通信可能になった時刻に基づいて並べる方法などが考えられる。レイアウト情報は、表示用データの大きさ（Ｉ＿Ｗｉｄｔｈ，I ＿Ｈｅｉｇｈｔ）、横に表示する数（Ｎｕｍ＿Ｗｉｄｔｈ）、縦に表示する数（Ｎｕｍ＿Ｈｅｉｇｈｔ）、縦横のマージン（Ｍｇ＿Ｗｉｄｔｈ，Ｍｇ＿Ｈｅｉｇｔｈ）から成立つ。
【００６４】
このレイアウト情報の計算方法の一例として、図３に示す表示装置数と表示用データ、数、マージンからなるレイアウト情報管理テーブルを予めメモリ（表示内容管理部１５）に記憶しておき、レイアウト計算時に表示装置数を用いて各値を求める方法がある。例えば、表示装置数が「１３」の場合、各値は「９６」，「９６」，「６」，「４」，「８」，「２０」となる。この対応情報は表示方法毎および画面サイズ情報毎に準備する。
【００６５】
レイアウト情報の計算後、表示内容管理部１５は識別情報管理部１３の識別情報管理テーブルに登録されている装置に対応する付加情報を付加情報管理部１３より順番に読み出し、レイアウト情報と付加情報を基に表示用データの作成とレイアウト情報に基づき表示用データのメモリへの書き込みを行う（ステップｃ４〜ｃ６）。
【００６６】
全ての装置について書き込みを終えたなら（ステップｃ７のＹｅｓ）、メモリの内容をビデオメモリに転送することにより表示内容を更新する。また、表示内容の更新方法としては、表示方法に基づき表示する装置の順番を決め、各装置の表示用データを作成し、メモリの更新とビデオメモリへの転送を全ての装置について行うまで逐次行う方法もある。
【００６７】
表示用データは、付加情報に含まれる写真やアイコンデータを利用する方法、識別名称のみ、両者の合成などが考えられる。写真やアイコンの表示を行う場合は、レイアウト情報で求めた表示用データの大きさにデータを拡大、縮小を行う。また、表示部１６が白黒の場合は、カラーデータを白黒データに変換する。
【００６８】
ここで、図８を参照して、上記作成した表示用データをレイアウト情報に基づいてメモリに書き込む方法を詳しく説明する。
【００６９】
図８はレイアウト情報に基づく表示内容の更新処理を示すフローチャートである。例えば、表示する装置が「１３」あり、現在対象としている装置が表示方法に従い表示順を求めた場合に１０番目の場合を想定する。
【００７０】
初めに、表示方法に従い対象の装置情報を表示する順番（Ｄｉｓｐ＿Ｎｏ）を計算する（ステップｄ１）。この場合、Ｄｉｓｐ＿Ｎｏ＝１０である。
【００７１】
レイアウト情報より求めた順番より画面での表示位置（Ｐｏｓ＿ｘ，Ｐｏｓ＿Ｙ）を計算する（ステップＳ２）。この場合は以下の方法で計算する。
【００７２】
Ｐｏｓ＿ｙ＝Ｄｉｓｐ＿Ｎｏ／Ｎｕｍ＿Ｗｉｄｔｈ（整数演算）
Ｐｏｓ＿ｘ＝Ｄｉｓｐ＿Ｎｏ−Ｐｏｓ＿ｙ＊Ｎｕｍ＿Ｗｉｄｔｈ
Ｐｏｓ＿ｙ＝Ｐｏｓ＿ｙ＋１
ｉｆ  Ｐｏｓ＿ｘ＝０  ｔｈｅｎ（Ｐｏｓ＿ｘ＝Ｎｕｍ＿Ｗｉｄｔｈ，Ｐｏｓ＿Ｙ＝Ｐｏｓ＿Ｙ−１）
仮定した状況では（Ｐｏｓ＿ｘ，Ｐｏｓ＿ｙ）＝（２，３）と求められる。
【００７３】
次に、レイアウト情報と表示位置情報より画面での座標（Ｘ，Ｙ）を計算する（ステップｄ３）。
【００７４】
Ｘ＝Ｐｏｓ＿ｘ＊Ｉ＿Ｗｉｄｔｈ＋（Ｎｕｍ＿Ｗｉｄｔｈ−１）＊Ｍｇ＿Ｗｉｄｔｈ
Ｙ＝Ｐｏｓ＿ｙ＊Ｉ＿Ｈｅｉｇｈｔ＋（Ｎｕｍ＿Ｈｅｉｇｈｔ−１）＊Ｍｇ＿Ｗｉｄｔｈ
仮定した状況では（Ｘ，Ｙ）＝（２９６，４０８）となる。
【００７５】
最後に、作成した表示用データを上記位置（Ｘ，Ｙ）にサイズ（Ｉ＿Ｗｉｄｔｈ，Ｉ＿Ｈｅｉｇｈｔ）でメモリに書き込みを行う（ステップｄ４）。
【００７６】
システムによりモードを設けて、このモードに応じた内容を表示するものがある。このような場合は、状況を確認するモードでは上記手順を実行し、他のモードかつ状況に関する情報を表示しない場合は識別情報管理部１３の内容のみ更新するだけで良い。
【００７７】
同様に、ウインドウシステムで状況を表示するウインドウがアイコン化されている場合も識別情報管理部１３の内容のみ更新し、画面を展開した場合にそのときの識別情報管理部１３の情報に基づいて画面の表示を行う。
【００７８】
以上述べた様に周囲状況を判定し、通信可能、不可能というイベントに基づいて表示部１６の内容を更新することにより、利用者は常に正しい周囲の認識が可能となる。
【００７９】
更に、表示データを更新中に表示内容管理部１５が上記の２つのどちらかメッセージを受信した場合は、現在の表示内容の作業が終了するまでは、新たな画面の更新を行う作業を保留し、更新中の作業が終了後、新たに同様の手順を実行する。
【００８０】
（第２の実施形態）
次に、本発明の第２の実施形態について、図９の構成図と図１０（ａ），（ｂ）のフローチャートを用いて説明する。
【００８１】
図９は本発明の第２の実施形態における通信状況管理部１０（図１）の内部構成を示すブロック図である。なお、図２（第１の実施形態）と同じ部分には同一符号を付してその説明を省略するものとし、ここでは異なる点のみを説明する。
【００８２】
第２の実施形態では、グループ操作入力部１７およびグループ管理部１８を有し、グループ指定された各装置に関する情報を取得することを特徴とする。
【００８３】
グループ操作入力部１７は、自装置を除くグループを構成する１つ以上の装置の識別情報の指定と、グループに付与する名称の入力を利用者から受け付ける。入力手段としては、表示部１６に付与したタッチパネルなどが考えられる。装置識別情報の指定は通信可能な装置の付加情報を表示し、利用者のタッチを指示と判定し、指示場所から該装置の識別情報を求める。タッチパネルでの文字の入力は画面にキーボードの絵を表示し、指定された文字を入力として受け付ける。
【００８４】
グループ管理部１８は、グループ操作入力部１７からの指示に基づき、指定された複数の装置情報に対してグループ識別情報を付与し、該対象となった装置にグループ設定要求を送信する。
【００８５】
図１０（ａ）は仮想装置の付加情報の作成処理を示すフローチャートである。グループ設定要求後（ステップｅ１）、該対象装置の全てからグループ設定完了メッセージを受信したか確認する（ステップｅ２）。設定完了メッセージの受信を確認した場合に、それらのグループ指定された各装置を１つの仮想的な装置と見做し、仮想装置の付加情報を作成する（ステップｅ３）。この場合の付加情報としては、グループに属する利用者の名前、グループに付与した名称、作成時刻などが考えられる。また、グループに属する各装置の利用者のイメージ情報を合成してイメージ情報を作成する方法も考えられる。
【００８６】
また、仮想装置の識別情報は、グループの識別情報を兼用する方法や、他の装置と重複しない新たな装置を割り当てる方法が考えられる。作成した仮想装置の付加情報を仮想装置の識別情報と合わせて、グループに属する他の装置に送信する（ステップｅ４）。
【００８７】
次に、図１０（ｂ）を参照して装置識別情報送信要求の対応を説明する。ここでは、本発明の効果を示すために、装置Ｘ，Ｙ，ＺからなるグループＭが存在し、装置Ｗが新たに出現した場合を例にして説明する。
【００８８】
図１０（ｂ）は仮想装置からの返答メッセージの送信処理を示すフローチャートである。装置Ｘが装置Ｗから装置識別情報送信要求メッセージを受信した場合に、装置Ｘの通信可能装置検出部１１は、自装置の識別情報を付与した要求受理を示す返答メッセージを、装置Ｗに対して送信する（ステップｅ５）。装置Ｙ，Ｚも同様に自装置の情報を装置Ｗに対して送信する。
【００８９】
各装置のグループ管理部１８は、互いに通信を行い、仮想装置Ｍとして返答メッセージを送信する装置を決定する（ステップｅ６）。ここでは、仮にＺと仮定する。装置Ｚのグループ管理部１８は通信可能装置検出部１１に装置Ｍの識別情報を付与した要求受理を示す返答メッセージを、装置Ｗに対して送信するよう要求を行う。装置Ｘ，Ｙのグループ管理部１８は何も対応を行わない。返答を行う装置を固定することにより、素早く返答メッセージを送信することが可能となる（ステップｅ８）。該仮想装置Ｍの返答を行う装置が、該グループから退出した場合で、新たに装置情報送信要求を受信した場合は、グループ内の装置から新たな装置を決定する。
【００９０】
以上のような方法により、周囲に存在するグループに関する情報を容易に把握することとなり、所望のグループへの途中参加要求を容易に行うことが可能となる。
【００９１】
グループの属性として、存在を隠すモードが付与されている場合は、装置情報送信要求を無視することで存在を隠すことが可能となる。
【００９２】
（第３の実施形態）
次に、本発明の第３の実施形態について、図１１の構成図と図１２〜図１５のフローチャートを用いて説明する。
【００９３】
図１１は本発明の第３の実施形態における通信状況管理部１０（図１）の内部構成を示すブロック図である。なお、図２（第１の実施形態）と同じ部分には同一符号を付してその説明を省略するものとし、ここでは異なる点のみを説明する。
【００９４】
第３の実施形態では、条件設定部１９、周囲環境情報管理部２０を有し、通信可能、不可能というイベントの記録を行い、現在通信可能な装置の情報と通信可能だった装置の情報を合わせて表示することを特徴とする。
【００９５】
通信可能装置検出部１１は、新たに通信可能な装置を検出した場合に、該装置の装置識別情報とともに、装置出現メッセージを周囲環境情報管理部２０に通知する。
【００９６】
ここで、図１２を参照して周囲環境情報管理部２０の動作を説明する。
【００９７】
図１２は通信可能装置を検出した場合におけるイベント情報登録処理を示すフローチャートである。周囲環境情報管理部２０は該装置の識別番号が周囲環境情報に登録済みかどうか判定を行う（ステップｆ１）。登録がされていない場合は（ステップｆ２のＮｏ）、周囲環境情報管理部２０は新規装置イベント情報を作成し（ステップｆ３）、これを周囲環境情報に登録する（ステップｆ４）。この新規装置イベント情報は、装置識別情報、装置付加情報、通信可能時刻より構成する。
【００９８】
一方、登録済みの場合は（ステップｆ２のＹｅｓ）、周囲環境情報管理部２０は通信可能イベント情報を作成し（ステップｆ５）、これを周囲環境情報に登録する（ステップｆ６）。この通信可能イベント情報は、装置識別情報、通信可能時刻より構成する。
【００９９】
また、通信不可能装置検出部１２が通信不可能な装置を検出した場合は、通信不可能になった装置の装置識別情報とともに、装置通信不可能メッセージを周囲環境情報管理部２０に通知する。
【０１００】
これにより、図１３のフローチャートに示すように、周囲環境情報管理部２０は通信不可能イベント情報を作成し（ステップｆ７）、これを周囲環境情報に登録する（ステップｆ８）。この通信不可能イベント情報は、装置識別情報と通信不可能時刻より構成する。各イベントの登録はイベントの生じた時刻に基づいた順番とする。
【０１０１】
条件設定部１９は、画面内容の更新を行うための条件と、特定の条件を持つ装置についての条件、および表示方法を利用者から指示をうけ各パラメータを記憶する。
【０１０２】
表示内容管理部１５は、第１の実施形態と同様に通信可能検出部および通信不可能装置検出部１２からのメッセージに基づき表示内容の更新を行う。
【０１０３】
図１４は全装置を表示する場合でのイベント情報に基づく画面更新処理を示すフローチャートである。周囲情報管理情報の登録されている装置数と装置識別情報を調べる（ステップｇ１）。この場合、同一装置の新規装置イベント、通信不可能イベント、通信可能イベントが存在する場合は、重複してカウントを行わない（ステップｇ２）。登録装置数に基づいてレイアウト情報を計算する（ステップｇ３）。
【０１０４】
表示装置数を「０」に設定した後（ステップｇ４）、周囲情報管理情報を時刻の新しいイベントから再び調べる（ステップｇ５）。該イベントが通信不可能イベントの場合は、イベント発生時刻と現在の時刻を比較し経過時間を求める。条件設定部１９が記憶しているパラメータと比較し、経過時間による通信不可能ステータスを与える（ステップｇ６）。この通信不可能ステータスとして、少し前、だいぶ前等が考えられる。経過時間と通信不可能ステータスの関係は予め条件設定部１９に登録しておく。通信可能イベントや新規通信可能イベントの場合は、通信可能ステータスを与える（ステップｇ６）。上記と同様に装置が重複する場合は、時刻の古いイベントは無視する。
【０１０５】
レイアウト情報とステータスに基づいて表示用データを付加情報より作成する（ステップｇ７）。データの作成方法として、経過時間とともに表示用データの色を灰色の薄い物に変更する方法、付加情報から作成したデータの文字情報を優先して表示する方法が考えられる。
【０１０６】
このようにして表示用データが作成されると（ステップｇ９のＹｅｓ）、その表示用データに基づいて表示画面を更新する（ステップｇ１０）。これにより、通信可能、通信不可能というイベントに応じて、現在通信可能な装置の情報と通信可能だった装置の情報がその都度区別表示されることになる。
【０１０７】
次に、図１５を参照して一部の装置情報を表示する方法について述べる。
【０１０８】
図１５は一部装置を表示する場合でのイベント情報に基づく画面更新処理を示すフローチャートである。まず、周囲状況管理情報の登録されている装置数と装置識別情報を調べる。重複するイベントを除き、イベントに対応した各装置について、経過時間に基づきステータスを求め、装置識別情報と対応付けて記憶する。条件設定部１９で表示するステータスと指定したステータスを有する装置の数のみカウントする。求めた装置数に基づきレイアウト情報を計算する（ステップｇ１１〜ｇ１７）。
【０１０９】
上記記憶した装置識別情報とステータスを基に各装置が、該表示するステータスを有するかどうかの判定を行う（ステップｇ１８）。ステータスを有する場合は（ステップｇ１８のＹｅｓ）、レイアウトとステータス情報を基に付加情報から表示用データを作成し（ステップｇ１９）、これをレイアウトに従って書き込む（ステップｇ２０）。。また、ステータスを有しない場合は（ステップｇ１８のＮｏ）、何もしない。記憶して装置全てを判定し終えたなら（ステップｇ２１のＹｅｓ）、表示画面を更新する（ステップｇ２２）。
【０１１０】
表示内容管理部１５は上記の２種類のメッセージだけではなく、予め決められた時間毎に更新を行う。この事により、周囲の状況の変化が無い場合でも、通信不可能な状況になった装置が通信不可能になってからの経過時間に応じて表示方法を変更することが可能となる。
【０１１１】
以上述べたように、周囲状況を判定して、通信可能、不可能というイベントの記録を行い、現在通信可能な装置の情報と通信可能だった装置の情報を合わせて表示することにより、目的の装置を通過した場合でもその装置の存在を利用者は容易に知ることが可能となる。この場合、現在通信可能な装置と通信不可能な装置を異なる方法で表示することにより、容易に区別を行うことが可能である。
【０１１２】
また、通信不可能な状況になってからの経過時間に応じて表示方法を変えることにより、利用者はいつ通過したかの手掛かりを得ることができ、装置の存在場所の推測の手掛かりとなる。
【０１１３】
さらに、経過時間の制限を行うことにより、表示部１６に表示される装置情報の数を制限し、利用者が所望の装置を選択するときの操作を容易にすることができる。
【０１１４】
（第４の実施形態）
次に、本発明の第４の実施形態について、図１６の構成図と図１７のフローチャートを用いて説明する。
【０１１５】
図１６は本発明の第４の実施形態における通信状況管理部１０（図１）の内部構成を示すブロック図である。なお、図２（第１の実施形態）と同じ部分には同一符号を付してその説明を省略するものとし、ここでは異なる点のみを説明する。
【０１１６】
第４の実施形態では、接続関係情報管理部２１を有し、以前接続した装置を識別可能とすることを特徴とする。
【０１１７】
通信部１は、アプリケーションの指示により任意の装置とコネクションを設定したとき、装置識別情報とコネクション設定時刻と共にコネクション設定メッセージを接続関係情報管理部２１に通知する。
【０１１８】
ここで、図１７を参照して表示内容管理部１５の表示画面の更新手順を第１の実施形態と異なる手順のみ説明する。
【０１１９】
図１７は接続関係情報に基づく画面の更新処理を示すフローチャートである。付加情報に基づき表示用データを作成する（ステップｈ５）。次に接続関係情報管理部２１の管理テーブルに登録されている装置識別情報を検索する（ステップｈ６）。登録されていない場合は、接続関係がないと判定し、上記第１の実施形態で述べた手順を行う。登録されている場合は、接続関係があると判定し（ステップｈ７のＹｅｓ）、作成した表示用画像の変更を行う（ステップｈ８〜ｈ１１）。
【０１２０】
変更方法の一例としては、星印等のシンボルを示す画像データを、作成した表示用データに比べて優先表示するように該表示用データに合成する方法がある。また、コネクション切断時の時刻を文字情報として同様に示す方法もある。あるいは、コネクション設定後、アプリケーションが明示的に表示用データとして接続関係情報管理部２１に登録したデータを用いる方法がある。
【０１２１】
コネクションが意図しない方法で切断された場合は、その旨を接続関係情報管理部２１に登録しておき、この場合はさらに上記と異なる方法で表示することも考えられる。
【０１２２】
以上の方法を行うことにより、利用者は複数の装置の中から以前接続した装置を容易に識別することが可能となる。これにより、再び容易に接続を行うことが可能となる。
【０１２３】
（第５の実施形態）
次に、本発明の第５の実施形態について、図１８の構成図と図１９のフローチャートを用いて説明する。
【０１２４】
図１８は本発明の第５の実施形態における通信状況管理部１０（図１）の内部構成を示すブロック図である。なお、図２（第１の実施形態）と同じ部分には同一符号を付してその説明を省略するものとし、ここでは異なる点のみを説明する。
【０１２５】
第５の実施形態では、サービス状況情報管理部２２を有し、各装置のサービス状況を把握することを特徴とする。
【０１２６】
図１９はサービス提供状況に基づく画面更新処理を示すフローチャートである。表示内容管理部１５は、通信可能装置検出部１１、通信不可能装置検出部１２からのメッセージによって表示内容を更新するか、あるいは定期的に更新する。
【０１２７】
まず、サービス提供可能装置数を「０」に設定し、識別情報管理部１３を調べる（ステップｉ１）。登録されている装置の付加情報を各装置についてサービス提供可能かどうかの判定を行う（ステップｉ２）。サービス提供とは、例えば該装置が他の装置に対して何等かの情報を提供するか、あるいは、プリンタの機能を提供することとする。付加情報にサービス提供可能かどうかの情報と、提供できる場合にはその提供内容に関する情報を合わせて記録しておく。
【０１２８】
表示内容管理部１５は、判定中の装置がサービス提供可能な場合には通信部１を通じて該装置からサービス提供状況情報を取得し、サービス状況情報管理部に該装置の装置識別子と合わせて記録する。また、サービス提供可能な装置の数を「１」増やす（ステップｉ３）。
【０１２９】
サービス提供情報の例としては、例えば、その装置にコネクションを設定している装置数、あるいは、未処理のサービス要求数、ＣＰＵの負荷情報が考えられる。
【０１３０】
ここで、以降の表示内容管理部１５の表示画面の更新手順について、第１の実施形態と異なる手順のみ説明する。
【０１３１】
付加情報に基づき表示用データを作成する（ステップｉ７）。次に、サービス状況情報管理部２２の管理テーブルに登録されている装置識別情報を検索する。登録されていない場合は、サービス提供不可能と判定し、第１の実施形態で述べた手順を行う。登録されている場合は、サービス提供可能と判定し（ステップｉ８のＹｅｓ）、作成した表示用画像の変更を行う（ステップｉ９〜ｉ１２）。
【０１３２】
変更方法の一例としては、サービス提供状況と丸印のシンボルの数を予め対応させて記録しておく。該装置に接続している人数に基づき該対応関係から丸印等のシンボル数を求め、シンボルを複数示す変更用画像データを作成する。該変更用データを上記作成した表示用データに比べて優先表示するように該表示用データに合成する。あるいは、サービス状況情報と表示用色情報を予め対応させ記録しておく。ＣＰＵの負荷が軽いときには薄い赤、負荷が大きくなるに従い濃い赤となるように表示用データを変更する方法もある。
【０１３３】
以上の方法を行うことにより、利用者は複数サービスを提供する装置が存在する場合に、各装置の利用状況や負荷の情報を知ることが可能となり、反応の早い装置を選択することが可能となる。
【０１３４】
また、利用者が携帯する装置の場合でも、ＣＰＵの負荷情報や利用者のアプリケーションの利用具合を測定した値を用い、同様に装置付加情報の表示方法を変更することにより、相手の状況を把握することが可能になり、忙しい相手に対して割り込みをすることを防ぐことができる。
【０１３５】
（第６の実施形態）
次に、本発明の第６の実施形態について、図２０の構成図と図２１のフローチャートを用いて説明する。
【０１３６】
図２０は本発明の第６の実施形態における通信状況管理部１０（図１）の内部構成を示すブロック図である。なお、図２（第１の実施形態）と同じ部分には同一符号を付してその説明を省略するものとし、ここでは異なる点のみを説明する。
【０１３７】
第６の実施形態では、属性指定部２３を有し、所望の属性を有する装置のみを選択対象とすることを特徴とする。
【０１３８】
属性指定部２３は、利用者から装置属性としてキーワードの入力を受け付け記憶する。キーワードは１つ以上でもかまわない。また、複数のキーワードを検索式で組み合わせたものでもかまわない。装置属性としては、利用者の携帯する装置、プリンタ、情報提供、さらに各属性の詳細属性の場合には利用者名、利用者の所属する組織、住所、カラープリンタ、ルノワール等が考えられる。
【０１３９】
図２１は属性情報に基づく画面更新処理を示すフローチャートである。表示内容管理部１５は、通信可能装置検出部１１、通信不可能装置検出部１２からのメッセージによって表示内容を更新するか、あるいは定期的に更新する。
【０１４０】
まず、条件装置数を「０」に設定し、識別情報管理部１３を調べる（ステップｊ１）。各装置について、登録されている装置の付加情報が属性指定部２３に記憶されているキーワードを有するかどうか判定を行う。キーワードが示す属性を有する場合は、条件装置の数を「１」増やす（ステップｊ２，ｊ３）。
【０１４１】
ここで、以降の表示内容管理部１５の表示画面の更新手順について、第１の実施形態と異なる手順のみ説明する。
【０１４２】
特定のキーワードが指定されていない場合は、第１の実施形態で述べた手順を実行する。また、指定した属性を有する装置が１つも存在しない場合は、装置が存在しない場合と間違える可能性があるので、文字情報を表示するなど、利用者に明示的に知らせる方法も考えられる。
【０１４３】
しかして、特定のキーワードが指定されている場合は、指定した条件を有する装置数に基づいてレイアウト情報を計算する（ステップｊ５）。また、各装置の付加情報を再び調べ、指定した属性を有するかどうかを判定する（ステップｊ６）。その結果、指定属性を有する場合には（ステップｊ６のＹｅｓ）、付加情報に基づいて表示用データを作成し、メモリに書き込む（ステップｊ７，ｊ８）。指定属性を有しない場合は、何も実行しない。全ての装置を判定した後に表示画面を更新する（ステップｊ９，ｊ１０）。
【０１４４】
以上の方法を行うことにより、利用者は周囲に複数の装置が存在する場合に、所望の装置を示す属性をキーワードとして与えることにより、所望の属性を有する装置のみ選択対象とすることとなり、目的の装置を容易に指定することが可能となる。
【０１４５】
なお、ここでは指定属性を有する装置を表示する場合を例にしたが、利用者が表示画面を見ていない可能性があるので、他の方法として、指定属性を有する装置が存在する場合に音声を出力したり、装置が振動する方法を併用して利用者の注意を喚起する方法も考えられる。
【０１４６】
【発明の効果】
以上のように本発明によれば、利用者が館内を移動した場合でも、任意のときに容易に周囲のサービス提供を行う装置を選択することが可能となる。
【０１４７】
また、接続不可能な装置情報をサービス提供可能な装置と異なる方法で表示することにより、目的の装置の前を通過したことがわかる。周囲状況を記録することにより、特定の装置との通信が不可能になった時刻からの経過時間を調べることが可能になり、経過時間により異なる方法で機器情報を表示することにより大まかな経過時間を知ることができる。
【０１４８】
また、サービス提供する装置の状況情報に基づき表示方法を変更することにより、複数の装置から反応の速い装置を選択することが可能となる。
【０１４９】
また、複数の装置が存在する場合に、キーワードを指定することにより、所望の装置を素早く選択することが可能となる。
【０１５０】
以上本発明により、利用者の移動に伴う状況の変化を、利用者は容易に認識することか可能となり、所望の機器の容易な選択を可能とする表示方法を有する装置の提供を実現できる。
【図面の簡単な説明】
【図１】本発明の情報処理装置の概略構成を示すブロック図。
【図２】本発明の第１の実施形態における通信状況管理部の内部構成を示すブロック図。
【図３】レイアウト情報を求める時に利用する管理テーブルの構成例を示す図。
【図４】通信可能装置の検出処理を示すフローチャート。
【図５】通信可能装置の検出後、装置付加情報を取得する場合の処理を示すフローチャート。
【図６】通信不可能装置の検出処理を示すフローチャート。
【図７】状況変化に基づく画面更新処理を示すフローチャート。
【図８】レイアウト情報に基づく表示内容の更新処理を示すフローチャート。
【図９】本発明の第２の実施形態における通信状況管理部の内部構成を示すブロック図。
【図１０】図１０（ａ）は仮想装置の付加情報の作成処理を示すフローチャート、同図（ｂ）は仮想装置からの返答メッセージの送信処理を示すフローチャート。
【図１１】本発明の第３の実施形態における通信状況管理部の内部構成を示すブロック図。
【図１２】通信可能装置を検出した場合におけるイベント情報登録処理を示すフローチャート。
【図１３】通信不可能装置を検出した場合におけるイベント情報登録処理を示すフローチャート。
【図１４】全装置を表示する場合でのイベント情報に基づく画面更新処理を示すフローチャート。
【図１５】一部装置を表示する場合でのイベント情報に基づく画面更新処理を示すフローチャート。
【図１６】本発明の第４の実施形態における通信状況管理部の内部構成を示すブロック図。
【図１７】接続関係情報に基づく画面の更新処理を示すフローチャート。
【図１８】本発明の第５の実施形態における通信状況管理部の内部構成を示すブロック図。
【図１９】サービス提供状況に基づく画面更新処理を示すフローチャート。
【図２０】本発明の第６の実施形態における通信状況管理部の内部構成を示すブロック図。
【図２１】属性情報に基づく画面更新処理を示すフローチャート。
【符号の説明】
１…通信部
２…アプリケーション管理部
１０…通信状況管理部
１１…通信可能装置検出部
１２…通信不可能装置検出部
１３…識別情報管理部
１４…付加情報記録部
１５…表示内容管理部
１６…表示部
１７…グループ操作入力部
１８…グループ管理部
１９…条件設定部
２０…周囲環境情報管理部
２１…接続関係情報管理部
２２…サービス状況情報管理部
２３…属性指定部
【図１】
0003540496.tif 000002
【図２】
0003540496.tif 000003
【図３】
0003540496.tif 000004
【図４】
0003540496.tif 000005
【図５】
0003540496.tif 000006
【図６】
0003540496.tif 000007
【図７】
0003540496.tif 000008
【図８】
0003540496.tif 000009
【図９】
0003540496.tif 000010
【図１０】
0003540496.tif 000011
【図１１】
0003540496.tif 000012
【図１２】
0003540496.tif 000013
【図１３】
0003540496.tif 000014
【図１４】
0003540496.tif 000015
【図１５】
0003540496.tif 000016
【図１６】
0003540496.tif 000017
【図１７】
0003540496.tif 000018
【図１８】
0003540496.tif 000019
【図１９】
0003540496.tif 000020
【図２０】
0003540496.tif 000021
【図２１】
0003540496.tif 000022